(57)【要約】【課題】門まわり機能機器の取り付け作業を容易かつ迅速に取り付けることができる門柱。【解決手段】門まわり機能機器を備えた門柱であって、正面パネル５と背面側から上記正面パネル５に取り付けられる背面パネル（６、３０）とから門柱本体１を構成するとともに、上記正面パネル５の前面に形成された前面開口部１４に正面パネル５の裏面から門まわり機能機器３、４、３３等を挿入して取り付けた。正面パネル５には長手方向に沿って中空部が形成されているのが好ましい。【選択図】図５
2010196415.tif 000002
【特許請求の範囲】
【請求項１】
門まわり機能機器を備えた門柱であって、正面パネルと背面側から上記正面パネルに取り付けられる背面パネルとから門柱本体を構成するとともに、上記正面パネルの前面に形成された前面開口部に正面パネルの裏面から門まわり機能機器を挿入して取り付けたことを特徴とする門柱。
【請求項２】
上記正面パネルは長手方向に沿って中空部を有し、中空部の前面には上記前面開口部を、裏面には裏面開口部を対応させて形成し、上記裏面開口部と前面開口部とに上記門回り機能機器を支持させたことを特徴とする、請求項１に記載の門柱。
【請求項３】
上記裏面開口部は上記前面開口部よりも大きく形成されたことを特徴とする、請求項２に記載の門柱。
【請求項４】
正面パネルは側面に配線収納部を形成し、背面パネルは背面パネル本体とその側部の配線収納部を覆う側部背面パネルで構成し、上記背面パネル本体と側部背面パネルは独立的に正面パネルに取り付け可能に形成されたことを特徴とする、請求項１〜３のいずれかに記載の門柱。
【請求項５】
門柱中央に縦長ポストを背面側に張出状に設け、背面パネルはポストを挟んで上下に分離してなり、各上下部背面パネルは独立して上記正面パネルに取り付け可能に形成されたことを特徴とする、請求項１〜４のいずれかに記載の門柱。
【発明の詳細な説明】
【技術分野】
【０００１】
本発明は、インターホン、ポスト、表札等を設けた門柱に関する。
【背景技術】
【０００２】
一般に、門柱にはインターホンやポスト、表札などの機能機器を取り付けられていることが多い。これらの門まわり機能機器は、門柱の上部に上下に並べて配置する、つまり最上部に表札、その下にインターホン、さらにその下にポストを配置するのが普通である。そのほか、門柱の上端に門灯、下端にフットライト等を取り付ける場合もある。このように門まわり機能機器を内蔵した門柱においては、これらの機能機器を門柱の内部の主に側面部に取り付けていることが多い。
【先行技術文献】
【特許文献】
【０００３】
【特許文献１】特開２００６−２４１８７７号公報
【特許文献２】特開２００７−２１７８８８号公報
【発明の概要】
【発明が解決しようとする課題】
【０００４】
しかしながら、上述のような機能機器取付構造においては、左右両側の側面板と背面板とを平面視コ字形に組んでおき、開放された前部から機能機器の部品等を差し入れて側面板に固定する方式が採用されていたから、部品等の取付時には狭い門柱の内側に無理に手を入れて取り付けなければならず、また電気機器の配線も面倒であり、作業は非常に困難であった。
【０００５】
本発明は上記問題点を解消し、特に正面パネルに門まわり機能機器を取り付ける取付構造を採用することによって、門まわり機能機器の取り付け作業を容易かつ迅速に行うことができる門柱を提供することをその課題とする。
【課題を解決するための手段】
【０００６】
前記課題を解決するため、請求項1に係る発明は、門まわり機能機器を備えた門柱であって、正面パネルと背面側から上記正面パネルに取り付けられる背面パネルとから門柱本体を構成するとともに、上記正面パネルの前面に形成された前面開口部に正面パネルの裏面から門まわり機能機器を挿入して取り付けたことを特徴とする。
【０００７】
請求項２に係る発明は、請求項１において、上記正面パネルは長手方向に沿って中空部を有し、中空部の前面には上記前面開口部を、裏面には裏面開口部を対応させて形成し、上記裏面開口部と前面開口部とに上記門回り機能機器を支持させたことを特徴とする、
請求項３に係る発明は、請求項２において、上記裏面開口部は上記前面開口部よりも大きく形成されたことを特徴とする。
【０００８】
請求項４に係る発明は、請求項１〜３のいずれかにおいて、正面パネルは側面に配線収納部を形成し、背面パネルは背面パネル本体とその側部の配線収納部を覆う側部背面パネルで構成し、 各背面パネルは独立的に正面パネルに取り付け可能に形成されたことを特徴とする。
【０００９】
請求項５に係る発明は、請求項１〜４のいずれかにおいて、門柱中央に縦長ポストを背面側に張出状に設け、背面パネルはポストを挟んで上下に分離してなり、各上下部材は独立して上記正面パネルに取り付け可能に形成されたことを特徴とする。
【発明の効果】
【００１０】
請求項１に係る発明によれば、正面パネルと背面側から上記正面パネルに取り付けられる背面パネルとから門柱本体を構成するとともに、上記正面パネルの前面に形成された前面開口部に正面パネルの裏面から門まわり機能機器を挿入して取り付けたものであるから、門まわり機能機器を取り付けるに当っては、まず正面パネルに挿入して取り付け固定した後、背面パネルを正面パネルに取り付ければよいので、門まわり機能機器の取付作業を容易かつ迅速に行うことができる。
【００１１】
また、正面パネルに門回り機能機器を取り付ける構造であるから、取り付けのための部材の点数を削減してコストを低減することができる。
【００１２】
さらに、門回り機能機器の一部を交換したり、メンテナンスしたりする場合は、背面パネルを外すことにより、容易に行うことができる。
【００１３】
しかも、門柱の部材も少なくて済むので、特に門回り機能機器を内蔵するとともに意匠性の高い薄型の機能門柱を提供することができる。
【００１４】
請求項２に係る発明によれば、正面パネルは長手方向に沿って中空部を有し、中空部の前面には上記前面開口部を、裏面には裏面開口部を対応させて形成し、上記裏面開口部と前面開口部とに上記門回り機能機器を支持させるようにしたから、門回り機能機器を安定に取り付けることができる。
【００１５】
請求項３に係る発明によれば、裏面開口部は前面開口部よりも大きく形成されているから、門回り機能機器の取り付け作業を容易に行うことができる。
【００１６】
請求項４に係る発明によれば、正面パネルは側面に配線収納部を形成し、背面パネルは背面パネル本体とその側部の配線収納部を覆う側部背面パネルで構成し、上記背面パネル本体と側部背面パネルは独立的に正面パネルに取り付け可能に形成されたから、側部背面パネルにいろいろなデザインのものを備えることにより、門柱全体の意匠を好みに応じて変えることができる。
【００１７】
請求項５に係る発明によれば、門柱中央に縦長ポストを背面側に張出状に設け、背面パネルはポストを挟んで上下に分離してなり、各上下部背面パネルは独立して上記正面パネルに取り付け可能に形成されたから、
門柱本体の中間部にポストを配置しても、上下の背面パネルを正面パネルに容易に取り付け固定することができる。
【図面の簡単な説明】
【００１８】
【図１】本発明に係る門柱の正面図
【図２】キャップを外した状態の門柱の平面図
【図３】図１の中央縦断面図
【図４】（ａ）（ｂ）は門柱本体の横断面図及びその分解図
【図５】（ａ）（ｂ）は正面パネルの正面図及びその中央縦断面図
【図６】インターホンの取付状態を示す横断面図
【発明を実施するための形態】
【００１９】
図１は本発明に係る門柱の正面図、図２はキャップを外した状態の門柱の平面図であり、図３は図１の中央縦断面図である。上記門柱は門柱本体１に門まわり機能機器として、表札２とインターホン３とポスト４とを取り付けたものである。
【００２０】
門柱本体１は正面パネル５と背面側と側面側から上記正面パネル５に取り付けられる背面パネル（背面パネル本体６と側部背面パネル３０）とから構成されている。
【００２１】
正面パネル５は、図４（ａ）（ｂ）及び図５（ａ）（ｂ）に示されるように、アルミニウムまたはその合金製の押出型材からなり、断面は鳥居形で、前面部７とこれより短い裏面部８と側面部９の間には長手方向に沿って中空部ａが形成された構造を有している。そして、前面部７の両側は側面部９の側方に延長され、その端部には折り返し部１０が形成されている。また、側面部９には裏面部８の後方に延長する延長縁１１が形成されている。延長縁１１の内側中央部には凹部１２が形成され、外側中央部には係止部１３が突出形成されている。
【００２２】
中空部ａの前面部７の上部には前面開口部１４が、裏面部８の上部には裏面開口部１５が対応して形成されている。
【００２３】
前面開口部１４として、表札用前面開口部１４ａとインターホン用前面開口部１４ｂとポスト用前面開口部１４ｃが設けられ、これに対応して裏面開口部１５として、表札用裏面開口部１５ａとインターホン用裏面開口部１５ｂとポスト用裏面開口部１５ｃが設けられている。そして、裏面開口部１５ａ、１５ｂ、１５ｃはいずれも上記前面開口部１４ａ、１４ｂ、１４ｃよりも大きく形成されている。
【００２４】
表札用前面開口部１４ａの裏側には、表札２よりも一回り大きい補強用縁回り金具１６が固定されている。これに対し、表札用裏面開口部１５ａは、裏面部８の上端から表札用前面開口部１４ａの下端よりも少し下方まで、全面的に切り欠かれている。
【００２５】
同様に、インターホン用裏面開口部１５ｂはやや縦長の長方形に形成されているが、前面開口部１４よりも一回り大きく形成されている。インターホン用前面開口部１４ｂの裏側にはクッション材１７が固定されている。
【００２６】
さらに、ポスト用前面開口部１４ｃは縦長ポスト４の郵便物投入口と同じ大きさに形成され、これに対し、ポスト用裏面開口部１５ｃはポスト４の外形と略同じ大きさに形成されている。縦長ポスト4は門柱本体１の背面側に張出状に設けられる。なお、ポスト用前面開口部１４ｃの裏側にも補強用縁回り金具１８が固定されている。
【００２７】
次に、門回り機能機器は前面開口部１４と裏面開口部１５とに支持されている。すなわち、表札２はアクリル板等の透明材からなり、これを表札用前面開口部１４ａに取り付けるときは、表札用前面開口部１４ａの前方からあてがい、補強用縁回り金具１６にネジ止めすればよい。なお、大きく切り欠いた表札用裏面開口部１５ａから表札用前面開口部１４ａに当接して固定してもよい。いずれにしても、表札２を簡単に取り付けることができる。
【００２８】
インターホン３を取り付けるときは、図５（ｂ）と図６に示されるように、インターホン３の背面部に取付金具２０を固定した状態で、大きく開口したインターホン用裏面開口部１５ｂからインターホン３を挿入し、その前部をインターホン用前面開口部１４ｂに嵌合し、背面部の取付金具２０をインターホン用裏面開口部１５ｂの周縁部にネジ止め固定すればよい。
【００２９】
さらに、ポスト４を取り付けるときは、図３及び図５（ｂ）に示されるように、ポスト４の前部の上下部に、前部と側部に垂直の取付片２２、２３を形成しておき、この状態で大きく切り欠いたポスト用裏面開口部１５ｃから挿入し、前面の投入口２６をポスト用前面開口部１４ｃに合わせて当接し、上記取付片２２、２３を門柱本体１の裏面部８にネジ止めして固定すればよい。なお、ポスト４の側面部２５を六角ボルトとナットによって正面パネル５の側面部に固定してもよい。
【００３０】
次に、背面パネルは、背面パネル本体６とその側部の配線収納部を覆う側部背面パネル３０とによって構成されている。図４（ｂ）に示されるように、中央部の湾曲したパネル本体２７の両側端から前方に係止縁２８が形成され、係止縁２８の先端には係止部２９が外方に突出形成されている。また、背面パネル６はポスト４よりも上部に配置される上部背面パネル６ａとポスト４よりも下部に配置される下部背面パネル６ｂとから構成されている。そして、上部背面パネル６ａと下部背面パネル６ｂは、それぞれ門柱本体１に対して裏側から押し付けることにより、係止部２９が門柱本体１の延長縁１１の凹部１２に係止して固定されている。したがって、背面パネル６の取付作業を容易に行うことができる。なお、係止縁２８と延長縁１１とを重合させることによって後述の照明電球３３からの光が外に漏れるのを有効に防止することができる。
【００３１】
なお、正面パネル５の両側部には配線収納部が形成され、配線収納部は側部背面パネル３０によって覆われている。側部背面パネル３０は緩やかに湾曲し、一側端と他側端近傍にはそれぞれ第１係止部３１と第２係止部３２が形成されている。そして、側部背面パネル３０は背面パネル本体６とは独立に、正面パネル５に押し付けることにより第１係止部３１が正面パネル５の前面部７の折り返し部１０に、第２係止部３２が正面パネル５の延長縁１１の係止部１３に弾性的に係止して固定されている。これにより、正面パネル５と側部背面パネル３０との間にも中空部ｂが形成される。この中空部ｂは正面パネル５の上下に連続して形成されるので、インターホン３と照明電球３３に電源を供給するケーブル３７を配線し、さらに地下に配線すればよい。側部背面パネル３０は係脱によって着脱できるので、ケーブル３７の配線、補修等の作業も簡単に行うことができる。
【００３２】
また、門柱本体１の最上部には、図１及び図２に示されるように、合成樹脂製のキャップ３５が取り付けられている。キャップ３５の下面には取付金具３６を介して照明電球３３が取り付けられている。さらに、門柱本体１とキャップ３５との間にはアクリル板３４が挟持固定されている。アクリル板３４の中央部には開口部３４ａ（図２参照）が形成され、またアクリル板３４の端面は外部に臨むように配置されている。これにより、照明電球３３からの光の一部はアクリル板３４の中央開口部３４ａから内部を通って端面から照射されるので門柱が目立ちやすく、また他の一部は透明な表札２の裏側から透過して前方に照射されるので、夜間でも表札２の文字を読み取ることができる。なお、キャップ３５に照明電球３３が取り付けられているので、キャップ３５を外すと同時に照明電球３３も一緒にくっついてくるから、メンテナンス作業が容易である。
【００３３】
上述のように、上記構成の門柱は、正面パネル５と背面パネル（６、３０）とから門柱本体１を構成するとともに、正面パネル５の前面に形成された前面開口部１４に正面パネル５の裏面から門まわり機能機器を挿入して取り付けたものであるから、門まわり機能機器を取り付けるにあたっては、まず正面パネル５に挿入して取り付け固定した後、背面パネル６を正面パネル５に取り付ければよいので、門まわり機能機器の取付作業を容易かつ迅速に行うことができる。
【００３４】
また、正面パネル５に門回り機能機器を取り付ける構造であるから、取り付けのための部材の点数を削減してコストを低減することができる。
【００３５】
さらに、門回り機能機器の一部を交換したり、メンテナンスしたりする場合は、背面パネル６ａを外すことにより、容易に行うことができる。
【００３６】
しかも、門柱の構成部材も少なくて済むので、特に門回り機能機器を内蔵するとともに意匠性の高い薄型の機能門柱を提供することができる。
【００３７】
また、正面パネル５の中空部ａの前面には前面開口部１４を、裏面には裏面開口部１５を対応させて形成し、裏面開口部１５と前面開口部１４とに門回り機能機器を支持させるようにしたから、門回り機能機器を安定に取り付けることができる。
【００３８】
しかも、裏面開口部１５は前面開口部１４よりも大きく形成されているから、門回り機能機器の取り付け作業を容易に行うことができる。
【００３９】
正面パネル５の両側部には側部背面パネル３０が背面パネル本体６とは独立に着脱可能に設けられているから、側面の側部背面パネル３０にいろいろなデザインのものを備えることにより、門柱全体の意匠を好みに応じて変えることができる。
【００４０】
なお、側部背面パネルは必ずしも必要ではない。側部背面パネルによるケーブル配線用中空部も正面パネルの中空部ａの側部に一体に形成するようにしてもよく、中空部ａに配線してもよい。
【符号の説明】
【００４１】
１  門柱本体
２  表札
３  インターホン
４  ポスト
５  正面パネル
６  背面パネル本体
１４ａ  上部前面開口部
１４ｂ  上部前面開口部
１４ｃ  上部前面開口部
１５ａ  上部背面開口部
１５ｂ  上部背面開口部
１５ｃ  上部背面開口部
３０  側部背面パネル
３３  照明電球
【図１】
2010196415.tif 000003
【図２】
2010196415.tif 000004
【図３】
2010196415.tif 000005
【図４】
2010196415.tif 000006
【図５】
2010196415.tif 000007
【図６】
2010196415.tif 000008